(57)【要約】【課題】移動端末の特定の機能に依存せずに、迅速かつ確実に緊急情報を報知するとともに、移動端末の利用者の安全確保に寄与する無線基地局、移動体通信システム、移動端末、機器制御方法及び端末利用者管理方法を提供する。【解決手段】フェムト基地局１００は、緊急地震速報など、可及的速やかに報知する必要がある緊急情報を、コアネットワーク２５を介して緊急情報提供元であるCBC１０から取得する。フェムト基地局１００は、住宅Ｒに設置される小型無線基地局であり、取得した緊急情報の内容に基づいて、緊急情報を報知するディスプレイ１１３を備える。【選択図】図１
2010199715.tif 000002
【特許請求の範囲】
【請求項１】
可及的速やかに報知する必要がある緊急情報を、通信ネットワークを介して緊急情報提供元から取得する緊急情報取得部を備える無線基地局であって、
前記無線基地局は、屋内に設置される小型無線基地局であり、
前記緊急情報取得部が取得した前記緊急情報の内容に基づいて、前記緊急情報を報知する報知部を備える無線基地局。
【請求項２】
可及的速やかに報知する必要がある緊急情報を、通信ネットワークを介して緊急情報提供元から取得する緊急情報取得部を備える無線基地局であって、
前記無線基地局は、屋内に設置される小型無線基地局であり、
前記緊急情報取得部が取得した前記緊急情報の内容に基づいて、前記屋内に設置された外部機器に対する制御命令を生成する制御命令生成部と、
前記制御命令生成部によって生成された前記制御命令を前記外部機器に送信する制御命令送信部と
を備える無線基地局。
【請求項３】
移動端末と、
可及的速やかに報知する必要がある緊急情報を受信する無線基地局と
を含む移動体通信システムであって、
前記無線基地局は、
屋内に設置される小型無線基地局であり、
通信ネットワークを介して前記緊急情報を緊急情報提供元から取得する緊急情報取得部と、
前記緊急情報取得部が取得した前記緊急情報の内容に基づいて、前記屋内に設置された外部機器に対する制御命令を生成する制御命令生成部と、
前記制御命令生成部によって生成された前記制御命令に基づいて、前記外部機器に対する制御の可否を確認する制御確認メッセージを前記移動端末に送信するメッセージ送信部と、
前記制御確認メッセージに対する応答を前記移動端末から受信する応答受信部と、
前記応答受信部が受信した前記応答の内容に基づいて、前記制御命令を前記外部機器に送信する制御命令送信部と
を備え、
前記移動端末は、
前記無線基地局から前記制御確認メッセージを受信し、前記制御確認メッセージの内容を前記移動端末の利用者に通知する通知部と、
前記通知部による通知内容に対する前記応答を前記利用者から取得する応答取得部と、
前記応答取得部によって取得された前記応答の内容を前記無線基地局に送信する応答送信部と
を備える移動体通信システム。
【請求項４】
可及的速やかに報知する必要がある緊急情報を、通信ネットワークを介して緊急情報提供元から取得する緊急情報取得部を備える無線基地局であって、
前記無線基地局は、屋内に設置される小型無線基地局であり、
通信ネットワークを介して前記緊急情報を緊急情報提供元から取得する緊急情報取得部と、
前記緊急情報取得部が取得した前記緊急情報の内容に基づいて、前記屋内に設置された外部機器に対する制御命令を生成する制御命令生成部と、
前記制御命令生成部によって生成された前記制御命令に基づいて、前記外部機器に対する制御の可否を確認する制御確認メッセージを前記移動端末に送信するメッセージ送信部と、
前記制御確認メッセージに対する応答を前記移動端末から受信する応答受信部と、
前記応答受信部が受信した前記応答の内容に基づいて、前記制御命令を前記外部機器に送信する制御命令送信部と
を備える無線基地局。
【請求項５】
可及的速やかに報知する必要がある緊急情報を緊急情報提供元から取得する無線基地局と無線通信を実行する移動端末であって、
屋内に設置された外部機器に対する制御命令に基づいて、前記外部機器に対する制御の可否を確認する制御確認メッセージを前記無線基地局から受信し、前記制御確認メッセージの内容を前記移動端末の利用者に通知する通知部と、
前記通知部による通知内容に対する応答を前記利用者から取得する応答取得部と、
前記応答取得部によって取得された前記応答の内容を前記無線基地局に送信する応答送信部と
を備える移動端末。
【請求項６】
移動端末と、
可及的速やかに報知する必要がある緊急情報を受信する無線基地局と
を用いた機器制御方法であって、
前記無線基地局は、屋内に設置される小型無線基地局であり、
前記無線基地局が、通信ネットワークを介して前記緊急情報を緊急情報提供元から取得するステップと、
前記無線基地局が、前記緊急情報の内容に基づいて、前記屋内に設置された外部機器に対する制御命令を生成するステップと、
前記無線基地局が、前記制御命令に基づいて前記外部機器に対する制御の可否を確認する制御確認メッセージを前記移動端末に送信するステップと、
前記移動端末が、前記無線基地局から前記制御確認メッセージを受信し、前記制御確認メッセージの内容を前記移動端末の利用者に通知するステップと、
前記移動端末が、前記利用者への通知内容に対する応答を前記利用者から取得し、取得した前記応答の内容を前記無線基地局に送信するステップと、
前記無線基地局が、受信した前記応答の内容に基づいて前記制御命令を前記外部機器に送信するステップと
を備える機器制御方法。
【請求項７】
移動端末と、
可及的速やかに報知する必要がある緊急情報を緊急情報提供元から取得し、取得した前記緊急情報を前記移動端末に送信する無線基地局と、
前記移動端末の利用者の状態を管理する管理サーバと
を含む移動体通信システムであって、
前記無線基地局は、
屋内に設置される小型無線基地局であり、
前記利用者が前記緊急情報を受理したか否かを前記利用者に対して確認する受信確認メッセージを前記移動端末に送信するメッセージ送信部と、
前記利用者が前記緊急情報を受理したことを示す応答を前記移動端末から受信する応答受信部と、
前記応答受信部が受信した前記応答の内容を前記管理サーバに中継する応答中継部と
を備え、
前記移動端末は、
前記無線基地局から前記受信確認メッセージを受信し、前記受信確認メッセージの内容を前記移動端末の利用者に通知する通知部と、
前記通知部による通知内容に対する前記応答を前記利用者から取得する応答取得部と、
前記応答取得部によって取得された前記応答の内容を前記無線基地局に送信する応答送信部と
を備え、
前記管理サーバは、前記無線基地局から受信した前記応答の内容に基づいて、前記無線基地局が形成する通信エリアに前記移動端末の利用者が在圏していることを登録する登録部を備える移動体通信システム。
【請求項８】
可及的速やかに報知する必要がある緊急情報を緊急情報提供元から取得し、取得した前記緊急情報を移動端末に送信する無線基地局であって、
前記無線基地局は、屋内に設置される小型無線基地局であり、
前記利用者が前記緊急情報を受理したか否かを前記利用者に対して確認する受信確認メッセージを前記移動端末に送信するメッセージ送信部と、
前記利用者が前記緊急情報を受理したことを示す応答を前記移動端末から受信する応答受信部と、
前記応答受信部が受信した前記応答の内容を前記管理サーバに中継する応答中継部と
を備える無線基地局。
【請求項９】
可及的速やかに報知する必要がある緊急情報を無線基地局から受信する移動端末であって、
前記移動端末の利用者に対して前記緊急情報を前記利用者が受理したか否かを確認する受信確認メッセージを前記無線基地局から受信し、前記受信確認メッセージの内容を前記利用者に通知する通知部と、
前記利用者が前記緊急情報を受理したことを示す応答を前記利用者から取得する応答取得部と、
前記応答取得部によって取得された前記応答の内容を前記無線基地局に送信する応答送信部と
を備える移動端末。
【請求項１０】
移動端末と、
可及的速やかに報知する必要がある緊急情報を緊急情報提供元から取得し、取得した前記緊急情報を前記移動端末に送信する無線基地局と、
前記移動端末の利用者の状態を管理する管理サーバと
を用いた端末利用者管理方法であって、
前記無線基地局は、屋内に設置される小型無線基地局であり、
前記無線基地局が、前記利用者が前記緊急情報を受理したか否かを前記利用者に対して確認する受信確認メッセージを前記移動端末に送信するステップと、
前記移動端末が、前記無線基地局から前記受信確認メッセージを受信し、前記受信確認メッセージの内容を前記移動端末の利用者に通知するステップと、
前記移動端末が、前記利用者が前記緊急情報を受理したことを示す応答を前記利用者から取得するステップと、
前記移動端末が、取得した前記応答の内容を前記無線基地局に送信するステップと、
前記無線基地局が、受信した前記応答の内容を前記管理サーバに中継するステップと、
前記管理サーバが、前記無線基地局から受信した前記応答の内容に基づいて、前記無線基地局が形成する通信エリアに前記移動端末の利用者が在圏していることを登録するステップと
を備える端末利用者管理方法。
【発明の詳細な説明】
【技術分野】
【０００１】
本発明は、緊急地震速報などの緊急情報を利用した無線基地局、移動体通信システム、移動端末、機器制御方法及び端末利用者管理方法に関する。
【背景技術】
【０００２】
気象庁は、２００７年１０月より、一般向け（テレビやラジオなど）の緊急地震速報の配信を開始した。このような動きに伴って、移動体通信システムを用いて、移動端末に対する緊急地震速報の配信についても検討されてきた。また、緊急地震速報に限らず、水害などの災害が発生したときに、自治体などが移動端末に対して、可及的速やかに報知する必要がある緊急情報（例えば、避難勧告）を配信したいのとの要求もある。
【０００３】
このような緊急情報を移動端末に同報配信する方式として、例えば、3GPPにおいて規定されたCell Broadcast Service（CBS）や、Multimedia Broadcast Multicast Service（MBMS）が知られている（非特許文献１及び非特許文献２参照）。
【先行技術文献】
【非特許文献】
【０００４】
【非特許文献１】3GPP TS 22.146 V9.0.0 (2008-06), 3rd Generation Partnership Project; Technical Specification Group Services and System Aspects; Multimedia Broadcast/Multicast Service; Stage 1(Release 9)、3GPP、２００８年１２月
【非特許文献２】3GPP TS 23.041 V8.1.0 (2008-12), 3rd Generation Partnership Project; Technical Specification Group Core Network and Terminals; Technical realization of Cell Broadcast Service (CBS) (Release 8)、２００８年１２月
【発明の概要】
【発明が解決しようとする課題】
【０００５】
しかしながら、上述したCBSやMBMSを用いて緊急情報を移動端末に同報配信する場合、次のような問題があった。すなわち、移動端末が緊急情報を受信するためには、移動端末がCBSやMBMSに対応した特定の機能を備えている必要がある。このため、CBSやMBMSに対応していない移動端末は、緊急情報を受信することができない問題がある。
【０００６】
また、移動端末がCBSやMBMSに対応していても、移動端末の電源が入っていないなど、移動端末が待ち受け状態でない場合には、緊急情報を受信することができない問題もある。
【０００７】
さらに、緊急情報の同報配信に必要な無線リソースを常時確保しておくことは、移動端末の消費電力などの観点から現実的でない。つまり、緊急情報の発生時に同報配信に必要な無線リソースを構成するため、移動端末への緊急情報の配信が遅延することが懸念される。
【０００８】
そこで、本発明は、移動端末の特定の機能に依存せずに、迅速かつ確実に緊急情報を報知するとともに、移動端末の利用者の安全確保に寄与する無線基地局、移動体通信システム、移動端末、機器制御方法及び端末利用者管理方法の提供を目的とする。
【課題を解決するための手段】
【０００９】
上述した問題を解決するため、本発明は、次のような特徴を有している。まず、本発明の第１の特徴は、可及的速やかに報知する必要がある緊急情報を、通信ネットワーク（コアネットワーク２５）を介して緊急情報提供元（CBC１０）から取得する緊急情報取得部（緊急情報取得部１０３）を備える無線基地局（フェムト基地局１００）であって、前記無線基地局は、屋内（住宅Ｒ）に設置される小型無線基地局であり、前記緊急情報取得部が取得した前記緊急情報の内容に基づいて、前記緊急情報を報知する報知部（例えば、出力制御部１０９及びディスプレイ１１３）を備えることを要旨とする。
【００１０】
本発明の第１の特徴において、前記報知部は、前記緊急情報取得部が取得した前記緊急情報の内容に基づいて、前記内容を表示してもよい。また、前記報知部は、前記緊急情報取得部が取得した前記緊急情報の種類や内容に応じて、前記緊急情報の報知方法を異ならせてもよい。
【００１１】
本発明の第２の特徴は、可及的速やかに報知する必要がある緊急情報を、通信ネットワークを介して緊急情報提供元から取得する緊急情報取得部を備える無線基地局であって、前記無線基地局は、屋内に設置される小型無線基地局であり、前記緊急情報取得部が取得した前記緊急情報の内容に基づいて、前記屋内に設置された外部機器（ガスコンロ４０）に対する制御命令を生成する制御命令生成部（制御命令生成部１１７）と、前記制御命令生成部によって生成された前記制御命令を前記外部機器に送信する制御命令送信部（制御命令送信部１１９）とを備えることを要旨とする。
【００１２】
本発明の第２の特徴において、前記外部機器は、前記屋内に設けられたホームネットワーク（ホームネットワーク４５）に接続され、前記制御命令送信部は、前記ホームネットワークに接続される前記外部機器以外の機器であって、前記外部機器を制御可能な機器（ホームサーバ５０）に前記制御命令を送信してもよい。
【００１３】
本発明の第３の特徴は、移動端末（移動端末２００）と、可及的速やかに報知する必要がある緊急情報を受信する無線基地局（フェムト基地局１００）とを含む移動体通信システム（移動体通信システム１）であって、前記無線基地局は、屋内（住宅Ｒ）に設置される小型無線基地局であり、通信ネットワーク（コアネットワーク２５）を介して前記緊急情報を緊急情報提供元（CBC１０）から取得する緊急情報取得部（緊急情報取得部１０３）と、前記緊急情報取得部が取得した前記緊急情報の内容に基づいて、前記屋内に設置された外部機器（ガスコンロ４０）に対する制御命令を生成する制御命令生成部（制御命令生成部１１７）と、前記制御命令生成部によって生成された前記制御命令に基づいて、前記外部機器に対する制御の可否を確認する制御確認メッセージを前記移動端末に送信するメッセージ送信部（メッセージ・応答処理部１０７）と、前記制御確認メッセージに対する応答を前記移動端末から受信する応答受信部（メッセージ・応答処理部１０７）と、前記応答受信部が受信した前記応答の内容に基づいて、前記制御命令を前記外部機器に送信する制御命令送信部（制御命令送信部１１９）とを備え、前記移動端末は、前記無線基地局から前記制御確認メッセージを受信し、前記制御確認メッセージの内容を前記移動端末の利用者に通知する通知部（緊急情報処理部２０７及びディスプレイ２１１）と、前記通知部による通知内容に対する前記応答を前記利用者から取得する応答取得部（緊急情報処理部２０７及び入力キー部２０９）と、前記応答取得部によって取得された前記応答の内容を前記無線基地局に送信する応答送信部（緊急情報送受信部２０５）とを備えることを要旨とする。
【００１４】
本発明の第４の特徴は、可及的速やかに報知する必要がある緊急情報を、通信ネットワークを介して緊急情報提供元から取得する緊急情報取得部を備える無線基地局であって、前記無線基地局は、屋内に設置される小型無線基地局であり、通信ネットワークを介して前記緊急情報を緊急情報提供元から取得する緊急情報取得部と、前記緊急情報取得部が取得した前記緊急情報の内容に基づいて、前記屋内に設置された外部機器に対する制御命令を生成する制御命令生成部と、前記制御命令生成部によって生成された前記制御命令に基づいて、前記外部機器に対する制御の可否を確認する制御確認メッセージを前記移動端末に送信するメッセージ送信部と、前記制御確認メッセージに対する応答を前記移動端末から受信する応答受信部と、前記応答受信部が受信した前記応答の内容に基づいて、前記制御命令を前記外部機器に送信する制御命令送信部とを備えることを要旨とする。
【００１５】
本発明の第５の特徴は、可及的速やかに報知する必要がある緊急情報を緊急情報提供元から取得する無線基地局と無線通信を実行する移動端末であって、屋内に設置された外部機器に対する制御命令に基づいて、前記外部機器に対する制御の可否を確認する制御確認メッセージを前記無線基地局から受信し、前記制御確認メッセージの内容を前記移動端末の利用者に通知する通知部と、前記通知部による通知内容に対する応答を前記利用者から取得する応答取得部と、前記応答取得部によって取得された前記応答の内容を前記無線基地局に送信する応答送信部とを備えることを要旨とする。
【００１６】
本発明の第６の特徴は、移動端末と、可及的速やかに報知する必要がある緊急情報を受信する無線基地局とを用いた機器制御方法であって、前記無線基地局は、屋内に設置される小型無線基地局であり、前記無線基地局が、通信ネットワークを介して前記緊急情報を緊急情報提供元から取得するステップと、前記無線基地局が、前記緊急情報の内容に基づいて、前記屋内に設置された外部機器に対する制御命令を生成するステップと、前記無線基地局が、前記制御命令に基づいて前記外部機器に対する制御の可否を確認する制御確認メッセージを前記移動端末に送信するステップと、前記移動端末が、前記無線基地局から前記制御確認メッセージを受信し、前記制御確認メッセージの内容を前記移動端末の利用者に通知するステップと、前記移動端末が、前記利用者への通知内容に対する応答を前記利用者から取得し、取得した前記応答の内容を前記無線基地局に送信するステップと、前記無線基地局が、受信した前記応答の内容に基づいて前記制御命令を前記外部機器に送信するステップとを備えることを要旨とする。
【００１７】
本発明の第７の特徴は、移動端末と、可及的速やかに報知する必要がある緊急情報を緊急情報提供元から取得し、取得した前記緊急情報を前記移動端末に送信する無線基地局と、前記移動端末の利用者の状態を管理する管理サーバ（管理サーバ３０）とを含む移動体通信システムであって、前記無線基地局は、屋内に設置される小型無線基地局であり、前記利用者が前記緊急情報を受理したか否かを前記利用者に対して確認する受信確認メッセージを前記移動端末に送信するメッセージ送信部（メッセージ・応答処理部１０７）と、前記利用者が前記緊急情報を受理したことを示す応答を前記移動端末から受信する応答受信部（メッセージ・応答処理部１０７）と、前記応答受信部が受信した前記応答の内容を前記管理サーバに中継する応答中継部（応答中継部１１５）とを備え、前記移動端末は、前記無線基地局から前記受信確認メッセージを受信し、前記受信確認メッセージの内容を前記移動端末の利用者に通知する通知部（緊急情報処理部２０７及びディスプレイ２１１）と、前記通知部による通知内容に対する前記応答を前記利用者から取得する応答取得部（緊急情報処理部２０７及び入力キー部２０９）と、前記応答取得部によって取得された前記応答の内容を前記無線基地局に送信する応答送信部（緊急情報送受信部２０５）とを備え、前記管理サーバは、前記無線基地局から受信した前記応答の内容に基づいて、前記無線基地局が形成する通信エリアに前記移動端末の利用者が在圏していることを登録する登録部（在圏情報登録部３３）を備えることを要旨とする。
【００１８】
本発明の第８の特徴は、可及的速やかに報知する必要がある緊急情報を緊急情報提供元から取得し、取得した前記緊急情報を移動端末に送信する無線基地局であって、前記無線基地局は、屋内に設置される小型無線基地局であり、前記利用者が前記緊急情報を受理したか否かを前記利用者に対して確認する受信確認メッセージを前記移動端末に送信するメッセージ送信部と、前記利用者が前記緊急情報を受理したことを示す応答を前記移動端末から受信する応答受信部と、前記応答受信部が受信した前記応答の内容を前記管理サーバに中継する応答中継部とを備えることを要旨とする。
【００１９】
本発明の第９の特徴は、可及的速やかに報知する必要がある緊急情報を無線基地局から受信する移動端末であって、前記移動端末の利用者に対して前記緊急情報を前記利用者が受理したか否かを確認する受信確認メッセージを前記無線基地局から受信し、前記受信確認メッセージの内容を前記利用者に通知する通知部と、前記利用者が前記緊急情報を受理したことを示す応答を前記利用者から取得する応答取得部と、前記応答取得部によって取得された前記応答の内容を前記無線基地局に送信する応答送信部とを備えることを要旨とする。
【００２０】
本発明の第１０の特徴は、移動端末と、可及的速やかに報知する必要がある緊急情報を緊急情報提供元から取得し、取得した前記緊急情報を前記移動端末に送信する無線基地局と、前記移動端末の利用者の状態を管理する管理サーバとを用いた端末利用者管理方法であって、前記無線基地局は、屋内に設置される小型無線基地局であり、前記無線基地局が、前記利用者が前記緊急情報を受理したか否かを前記利用者に対して確認する受信確認メッセージを前記移動端末に送信するステップと、前記移動端末が、前記無線基地局から前記受信確認メッセージを受信し、前記受信確認メッセージの内容を前記移動端末の利用者に通知するステップと、前記移動端末が、前記利用者が前記緊急情報を受理したことを示す応答を前記利用者から取得するステップと、前記移動端末が、取得した前記応答の内容を前記無線基地局に送信するステップと、前記無線基地局が、受信した前記応答の内容を前記管理サーバに中継するステップと、前記管理サーバが、前記無線基地局から受信した前記応答の内容に基づいて、前記無線基地局が形成する通信エリアに前記移動端末の利用者が在圏していることを登録するステップとを備えることを要旨とする。
【発明の効果】
【００２１】
本発明の特徴によれば、移動端末の特定の機能に依存せずに、迅速かつ確実に緊急情報を報知するとともに、移動端末の利用者の安全確保に寄与する無線基地局、移動体通信システム、移動端末、機器制御方法及び端末利用者管理方法を提供できる。
【図面の簡単な説明】
【００２２】
【図１】本発明の実施形態に係る移動体通信システム１の全体概略構成図である。
【図２】本発明の実施形態に係るフェムト基地局１００の機能ブロック図である。
【図３】本発明の実施形態に係る移動端末２００の機能ブロック図である。
【図４】本発明の実施形態に係る管理サーバ３０の機能ブロック図である。
【図５】フェムト基地局１００による緊急情報の報知及び移動端末２００による緊急情報の受信シーケンスを示す図である。
【図６】緊急情報を受信したフェムト基地局１００による外部機器の制御シーケンスを示す図である。
【図７】緊急情報を受信したフェムト基地局１００が、制御の可否について移動端末２００の利用者２００ａと確認した後に外部機器を制御する場合におけるシーケンスを示す図である。
【図８】フェムト基地局１００の通信エリアに在圏する移動端末の利用者の管理シーケンスを示す図である。
【図９】本発明の実施形態に係る制御確認メッセージの画像例を示す図である。
【図１０】本発明の実施形態に係る受信確認メッセージの画像例を示す図である。
【図１１】本発明の実施形態に係る在圏情報データベース３５の一例を示す図である。
【発明を実施するための形態】
【００２３】
次に、本発明の実施形態について説明する。具体的には、（１）移動体通信システムの全体概略構成、（２）無線基地局の機能ブロック構成、（３）移動端末の機能ブロック構成、（４）管理サーバの機能ブロック構成、（５）移動体通信システムの動作、（６）作用・効果、及び（７）その他の実施形態について説明する。
【００２４】
なお、以下の図面の記載において、同一または類似の部分には、同一または類似の符号を付している。ただし、図面は模式的なものであり、各寸法の比率などは現実のものとは異なる。したがって、具体的な寸法などは以下の説明を参酌して判断すべきものである。
【００２５】
（１）移動体通信システムの全体概略構成
図１は、本実施形態に係る移動体通信システム１の全体概略構成図である。図１に示すように、移動体通信システム１は、Cell Broadcast Center１０（以下、CBC１０）、無線ネットワーク制御装置２０（以下、ＲＮＣ２０）、管理サーバ３０、フェムト基地局１００及び移動端末２００を含む。
【００２６】
CBC１０、ＲＮＣ２０及び管理サーバ３０は、コアネットワーク２５に接続される。本実施形態において、コアネットワーク２５は、通信ネットワークを構成する。
【００２７】
CBC１０は、気象庁によって管理されるシステムから配信される緊急地震速報など、可及的速やかに移動端末２００の利用者などに報知する必要がある緊急情報を配信するシステム（不図示）と接続される。本実施形態において、CBC１０は、緊急情報提供元を構成する。CBC１０は、3GPPにおいて規定されたCell Broadcast Service（CBS）に基づいて、緊急情報をフェムト基地局１００や移動端末２００に同報配信する。
【００２８】
ＲＮＣ２０は、フェムト基地局１００や移動端末２００を制御する。なお、ＲＮＣ２０は、フェムト基地局１００以外の通常の無線基地局（不図示）とも接続され、当該無線基地局も制御する。
【００２９】
管理サーバ３０は、移動端末２００の利用者２００ａの状態を管理する。具体的には、管理サーバ３０は、移動端末２００の利用者２００ａが緊急情報の受理したことに基づいて、移動端末２００が在圏する通信エリア（フェムト基地局１００の識別番号）を管理する。つまり、管理サーバ３０は、緊急情報の配信時に移動端末２００の利用者２００ａが存在する位置を管理し、利用者２００ａの救出や安否確認を支援する。
【００３０】
フェムト基地局１００は、住宅Ｒ内（屋内）に設置される小型無線基地局である。本実施形態では、フェムト基地局１００は、住宅Ｒ内に設けられたホームネットワーク４５に接続される。
【００３１】
また、ホームネットワーク４５には、ガスコンロ４０、ホームサーバ５０及び玄関ドア６０が接続される。ガスコンロ４０は、ホームサーバ５０またはフェムト基地局１００によって制御することができる。本実施形態において、ガスコンロ４０及び玄関ドア６０は、外部機器を構成する。
【００３２】
移動端末２００は、フェムト基地局１００と無線通信を実行する。移動端末２００は、CBSに対応し、CBC１０から同報配信された緊急情報を受信できる。
【００３３】
（２）無線基地局の機能ブロック構成
図２は、本実施形態において無線基地局を構成するフェムト基地局１００の機能ブロック図である。図２に示すように、フェムト基地局１００は、ネットワークインタフェース部１０１、緊急情報取得部１０３、無線通信部１０５、メッセージ・応答処理部１０７、出力制御部１０９、スピーカ１１１、ディスプレイ１１３、応答中継部１１５、制御命令生成部１１７及び制御命令送信部１１９を備える。
【００３４】
なお、以下、本発明との関連がある部分について主に説明する。したがって、フェムト基地局１００は、フェムト基地局１００としての機能を実現する上で必須な、図示しない或いは説明を省略したブロック（電源部など）を備える場合があることに留意されたい。
【００３５】
ネットワークインタフェース部１０１は、ＲＮＣ２０と通信を実行するためのネットワークインタフェースを提供する。
【００３６】
緊急情報取得部１０３は、ネットワークインタフェース部１０１を介して受信したデータの中に含まれる緊急情報（例えば、震度５弱以上の地震が発生したことを示す緊急地震速報電文或いは災害を示す識別子）を取得する。具体的には、緊急情報取得部１０３は、コアネットワーク２５を介してCBC１０から緊急情報を取得する。緊急情報には、災害の種別や災害発生エリアを示す情報が含まれる。
【００３７】
無線通信部１０５は、移動端末２００と無線通信を実行する。特に、本実施形態では、無線通信部１０５は、CBSに従った同報配信機能を有する。具体的には、無線通信部１０５は、緊急情報取得部１０３が緊急情報を受信すると、pagingなどにより移動端末２００を呼び出し、無線チャネルの構成変更を通知する。当該無線チャネルは、CommonTransportCHなどの共通チャネル、或いは個別チャネルや報知情報などの何れでもよい。なお、当該無線チャネルは、移動端末２００の消費電力を抑制するため、通常時は設定されず、緊急情報の配信時に設定される。
【００３８】
メッセージ・応答処理部１０７は、緊急情報取得部１０３が受信した緊急情報に関するメッセージの送信や移動端末２００からの応答に関する処理を実行する。具体的には、メッセージ・応答処理部１０７は、制御命令生成部１１７によって生成された制御命令に基づいてガスコンロ４０に対する制御の可否を確認する制御確認メッセージを移動端末２００に送信する。また、メッセージ・応答処理部１０７は、当該制御確認メッセージに対する応答を移動端末２００から受信する。
【００３９】
メッセージ・応答処理部１０７は、移動端末２００の利用者２００ａが緊急情報を受理したか否かを利用者２００ａに対して確認する受信確認メッセージを移動端末２００に送信する。さらに、メッセージ・応答処理部１０７は、利用者２００ａが緊急情報を受理したことを示す応答を移動端末２００から受信する。当該応答は、フェムト基地局１００が形成する通信エリアに利用者２００ａが在圏していることを意味する。本実施形態において、メッセージ・応答処理部１０７は、メッセージ送信部及び応答受信部を構成する。
【００４０】
出力制御部１０９は、緊急情報取得部１０３が取得した緊急情報の内容に基づいて、住宅Ｒ内に緊急情報を報知するため、スピーカ１１１やディスプレイ１１３に出力される信号を制御する。具体的には、出力制御部１０９は、スピーカ１１１から出力される音響信号や、フェムト基地局１００の前面に設けられたディスプレイ１１３（図１参照）に表示される緊急情報表示用データを生成することができる。本実施形態では、出力制御部１０９及びディスプレイ１１３（或いは出力制御部１０９及びスピーカ１１１）によって、報知部が構成される。
【００４１】
応答中継部１１５は、利用者２００ａが緊急情報を受理したことを示す応答をメッセージ・応答処理部１０７が受信した場合、当該応答の内容を管理サーバ３０に中継する。当該応答には、フェムト基地局１００の識別番号（BTS識別番号）及び移動端末２００の識別番号が含まれる。なお、応答中継部１１５は、フェムト基地局１００が形成する通信エリアに在圏する複数の移動端末からの応答を集約することもできる。
【００４２】
制御命令生成部１１７は、緊急情報取得部１０３が取得した緊急情報の内容に基づいて、ガスコンロ４０に対する制御命令を生成する。制御命令生成部１１７は、緊急情報の内容に応じて制御すべき外部機器と、その制御内容とを保持している。制御命令生成部１１７は、緊急情報の内容の基づいて、制御すべき外部機器及び制御内容を決定する。例えば、緊急地震速報を取得した場合、制御命令生成部１１７は、ガスコンロ４０のスイッチをオフ（消火）する制御命令を生成する。なお、制御命令生成部１１７は、予め保持された内容に基づいて、ホームネットワーク４５に接続されている他の外部機器を制御する制御命令を生成することもできる。
【００４３】
制御命令送信部１１９は、制御命令生成部１１７によって生成された制御命令をガスコンロ４０に送信する。
【００４４】
また、制御命令送信部１１９は、メッセージ・応答処理部１０７が受信した応答の内容に基づいて、制御命令をガスコンロ４０に送信することもできる。具体的には、制御命令送信部１１９は、ガスコンロ４０のスイッチオフを許可する応答を移動端末２００から受信した場合、スイッチオフを命令する制御命令をガスコンロ４０に送信する。一方、制御命令送信部１１９は、ガスコンロ４０のスイッチオフを拒否する応答を受信した場合、或いは当該応答を所定時間内に受信しない場合、当該制御命令をガスコンロ４０に送信しない。
【００４５】
（３）移動端末の機能ブロック構成
図３は、移動端末２００の機能ブロック図である。図３に示すように、移動端末２００は、無線通信部２０１、ベースバンド処理部２０３、緊急情報送受信部２０５、緊急情報処理部２０７、入力キー部２０９、ディスプレイ２１１及びスピーカ２１３を備える。
【００４６】
無線通信部２０１は、フェムト基地局１００と無線通信を実行する。無線通信部２０１は、pagingなどにより、フェムト基地局１００から無線チャネルの構成変更を通知されると、緊急情報を受信するために必要な無線チャネルを設定する。無線通信部２０１は、設定した無線チャネルを介してフェムト基地局１００から同報配信された緊急情報が含まれる無線信号を受信する。
【００４７】
ベースバンド処理部２０３は、ベースバンドにおける各種処理を実行する。特に、本実施形態では、ベースバンド処理部２０３は、無線通信部２０１から出力された信号を復号して得た緊急情報を緊急情報送受信部２０５に出力する。
【００４８】
緊急情報送受信部２０５は、ベースバンド処理部２０３から出力された緊急情報の受信処理を実行する。また、緊急情報送受信部２０５は、緊急情報処理部２０７によって取得された応答、具体的には、制御確認メッセージに対する応答、及び移動端末２００の利用者２００ａが緊急情報を受理したことを示す応答の内容をフェムト基地局１００に送信する。本実施形態では、緊急情報送受信部２０５は、応答取得部を構成する。
【００４９】
緊急情報処理部２０７は、緊急情報に関する処理を実行する。具体的には、緊急情報処理部２０７は、フェムト基地局１００から外部機器（ガスコンロ４０）の制御確認メッセージを受信し、当該制御確認メッセージの内容をディスプレイ２１１に表示することによって、制御確認メッセージの内容を利用者２００ａに通知する。同様に、緊急情報処理部２０７は、フェムト基地局１００から緊急情報の受信確認メッセージを受信し、当該受信確認メッセージの内容を利用者２００ａに通知する。本実施形態では、緊急情報処理部２０７及びディスプレイ２１１によって通知部が構成される。なお、緊急情報処理部２０７は、ディスプレイ２１１に代えてスピーカ２１３を用いて、当該メッセージの内容を利用者２００ａに報知してもよい。
【００５０】
また、緊急情報処理部２０７は、上述したメッセージによる通知内容に対する応答、具体的には、制御確認メッセージに対する応答、及び移動端末２００の利用者２００ａが緊急情報を受理したことを示す応答を、入力キー部２０９を介して利用者２００ａから取得する。本実施形態では、緊急情報処理部２０７及び入力キー部２０９によって応答取得部が構成される。
【００５１】
（４）管理サーバの機能ブロック構成
図４は、管理サーバ３０の機能ブロック図である。図４に示すように、管理サーバ３０は、ネットワークインタフェース部３１、在圏情報登録部３３及び在圏情報データベース３５を備える。
【００５２】
ネットワークインタフェース部３１は、コアネットワーク２５と接続するためのネットワークインタフェースを提供する。
【００５３】
在圏情報登録部３３は、フェムト基地局１００から受信した応答の内容、具体的には、利用者２００ａが緊急情報を受理したことを示す応答に基づいて、フェムト基地局１００が形成する通信エリアに利用者２００ａが在圏していることを登録する。本実施形態において、在圏情報登録部３３は、登録部を構成する。
【００５４】
在圏情報データベース３５は、無線基地局と、当該無線基地局の通信エリアに在圏する移動端末とを対応付ける。図１１は、在圏情報データベース３５の一例を示す。図１１に示すように、在圏情報データベース３５は、無線基地局（BTS）識別番号、当該無線基地局の通信エリアの在圏者数、移動端末の電話番号（グループ情報）をレコードとして有する。
【００５５】
また、在圏情報データベース３５では、各エントリ（移動端末）の状態、具体的には、「在圏」と「応答」とが管理される。「在圏」は、移動端末が対応付けられた無線基地局の通信エリアに在圏することを示し、「応答」は、当該移動端末の利用者から緊急情報を受理したことを示す応答を無線基地局が受信したことを示す。
【００５６】
さらに、管理サーバ３０は、住宅Ｒに設置された家電品や住宅機器などの外部機器に対する操作情報がフェムト基地局１００から受信した場合、住宅Ｒに存在する移動端末２００の利用者２００ａなどの安否確認情報を登録することもできる。
【００５７】
（５）移動体通信システムの動作
次に、移動体通信システム１の動作について説明する。具体的には、動作例１〜動作例４を通じて、フェムト基地局１００による緊急情報の報知、緊急情報の受信に伴う外部機器の制御、及びフェムト基地局１００の通信エリアに在圏する移動端末の利用者の管理に係る動作について説明する。
【００５８】
（５．１）動作例１
図５は、フェムト基地局１００による緊急情報の報知及び移動端末２００による緊急情報の受信シーケンスを示す。図５に示すように、ステップＳ１０において、CBC１０は、地震などの災害の発生に伴い、緊急情報の同報配信を意味するWrite-ReplaceをＲＮＣ２０に送信する。
【００５９】
ステップＳ２０において、ＲＮＣ２０は、Write-Replaceの受信に応じて、無線リソースの構成変更を要求するSystem Information Update Requestをフェムト基地局１００に送信する。System Information Update Requestには、緊急情報が含まれている。
【００６０】
ステップＳ３０において、ＲＮＣ２０及びフェムト基地局１００は、緊急情報を同報配信するため、無線チャネルの構成を変更する。
【００６１】
ステップＳ４０において、フェムト基地局１００は、ＲＮＣ２０を介してCBC１０から緊急情報を受信し、ディスプレイ１１３（或いはスピーカ１１１）を用いて、受信した緊急情報を住宅Ｒ内に報知する。フェムト基地局１００がディスプレイ１１３などを用いて緊急情報を住宅Ｒ内に報知することによって、住宅Ｒ内に居る利用者２００ａは、緊急情報を認識できる。
【００６２】
ステップＳ５０において、ＲＮＣ２０は、pagingにより移動端末２００を呼び出し、移動端末２００に対して無線チャネルの構成変更を要求する。
【００６３】
ステップＳ６０において、移動端末２００は、緊急情報を受信するため、無線チャネルの構成を変更する。
【００６４】
ステップＳ７０において、ＲＮＣ２０は、BMC(Broadcast Multicast Control) Scheduling Messageを用い、構成変更された無線チャネルを介して移動端末２００を含む複数の移動端末に緊急情報を配信する。
【００６５】
ステップＳ８０において、移動端末２００は、当該無線チャネルを介してＲＮＣ２０から緊急情報の受信を開始する。
【００６６】
（５．２）動作例２
図６は、緊急情報を受信したフェムト基地局１００による外部機器の制御シーケンスを示す。ステップＳ１０及びＳ２０は、動作例１と同様である。
【００６７】
ステップＳ１１０において、緊急情報を受信したフェムト基地局１００は、ガスコンロ４０のスイッチをオフ（消火）する制御命令を生成し、生成した制御命令をガスコンロ４０に送信する。
【００６８】
ガスコンロ４０は、当該制御命令を受信すると、強制的にスイッチをオフ（消火）し、火災の発生などを未然に防止する。
【００６９】
また、ステップＳ１１１において、玄関ドア６０は、移動端末２００の利用者２００ａなどによる玄関ドア６０の開閉を検出する。つまり、住宅Ｒに居る移動端末２００の利用者２００ａなどは、災害の発生に伴って避難するために玄関ドア６０を開閉する。
【００７０】
ステップＳ１１２において、玄関ドア６０は、玄関ドア６０の開閉を検出したことを示す操作情報を、ホームネットワーク４５を介してフェムト基地局１００に送信する。
【００７１】
ステップＳ１１３において、フェムト基地局１００は、玄関ドア６０から受信した操作情報を管理サーバ３０に送信する。
【００７２】
ステップＳ１１４において、管理サーバ３０は、フェムト基地局１００から受信した操作情報に基づいて、住宅Ｒに生存者が存在することを示す安否確認情報を登録する。すなわち、本動作例では、災害発生後に玄関ドア６０の開閉を検出したことに基づいて、住宅Ｒに生存者が存在すると判定し、当該判定結果が安否確認情報として活用される。
【００７３】
（５．３）動作例３
図７は、緊急情報を受信したフェムト基地局１００が、制御の可否について移動端末２００の利用者２００ａと確認した後に外部機器を制御する場合におけるシーケンスを示す。ステップＳ１０及びＳ２０は、動作例１と同様である。
【００７４】
ステップＳ１２０において、フェムト基地局１００は、ガスコンロ４０に対する制御の可否を確認する制御確認メッセージを移動端末２００に送信する。
【００７５】
ステップＳ１３０において、移動端末２００は、受信した制御確認メッセージの内容をディスプレイ２１１に表示する。図９は、ステップＳ１３０においてディスプレイ２１１に表示される画像例を示す。利用者２００ａは、ディスプレイ２１１に表示された当該画像を確認し、ガスコンロ４０に対する制御の可否を判断する。ここでは、利用者２００ａは、入力キー部２０９を操作して、ガスコンロ４０に対する制御の許可（「はい」を選択）したものとする。
【００７６】
ステップS１４０において、移動端末２００は、制御確認メッセージに対する応答をフェムト基地局１００に送信する。
【００７７】
ステップＳ１５０において、フェムト基地局１００は、ガスコンロ４０のスイッチをオフ（消火）する制御命令を生成し、生成した制御命令をガスコンロ４０に送信する。
【００７８】
（５．４）動作例４
図８は、フェムト基地局１００の通信エリアに在圏する移動端末の利用者の管理シーケンスを示す。ステップＳ１０及びＳ２０は、動作例１と同様である。
【００７９】
ステップＳ１６０において、フェムト基地局１００は、移動端末２００の利用者２００ａが緊急情報を受理したか否かを利用者２００ａに対して確認する受信確認メッセージを移動端末２００に送信する。
【００８０】
ステップＳ１７０において、移動端末２００は、受信した受信確認メッセージの内容をディスプレイ２１１に表示する。図１０は、ステップＳ１７０においてディスプレイ２１１に表示される画像例を示す。利用者２００ａは、ディスプレイ２１１に表示された当該画像を確認することによって緊急情報を受理する。また、利用者２００ａは、移動端末２００を介して緊急情報の受信したことを示す受信登録の要否を判断する。ここでは、利用者２００ａは、入力キー部２０９を操作して、受信登録が選択（「はい」を選択）したものとする。利用者２００ａがこのような操作をすることによって、移動体通信システム１は、緊急情報が配信されたときにフェムト基地局１００の通信エリアに在圏する利用者の人数を管理できる。
【００８１】
ステップＳ１８０において、移動端末２００は、受信確認メッセージに対する応答をフェムト基地局１００に送信する。
【００８２】
ステップＳ１９０において、フェムト基地局１００は、当該通信エリアに在圏する複数の移動端末からの応答（受信登録）を集約する。
【００８３】
ステップＳ２００において、フェムト基地局１００は、利用者が緊急情報を受理したことを示す応答を管理サーバ３０に中継する。具体的には、フェムト基地局１００は、ステップＳ１９０において集約した受信登録を、登録通知として管理サーバ３０に送信する。
【００８４】
ステップＳ２１０において、管理サーバ３０は、フェムト基地局１００から受信した登録通知の内容に基づいて、移動端末を登録する。
【００８５】
具体的には、図１１に示すように、管理サーバ３０は、無線基地局と、当該無線基地局の通信エリアに在圏する移動端末とを対応付けて登録する。
【００８６】
（６）作用・効果
移動体通信システム１によれば、フェムト基地局１００は、住宅Ｒに設置される小型無線基地局であり、緊急情報取得部１０３が取得した緊急情報の内容に基づいて、緊急情報を住宅Ｒ内に報知できる。このため、移動端末がCBSに対応していない場合や移動端末が待ち受け状態でない場合でも、住宅Ｒに居る移動端末の利用者に緊急情報を迅速かつ確実に報知できる。また、本実施形態では、フェムト基地局１００は、緊急情報を移動端末２００に配信する直前にディスプレイ２１１などを用いて緊急情報を報知するため、さらに迅速に住宅Ｒに居る利用者２００ａに緊急情報を報知できる。
【００８７】
本実施形態では、フェムト基地局１００は、取得した緊急情報の内容に基づいて、住宅Ｒに設置されたガスコンロ４０を制御する。このため、例えば、地震が発生した場合でも、住宅Ｒに居る利用者２００ａは、大きな揺れが住宅Ｒに到達する前にガスコンロ４０のスイッチをオフにするなどの二次災害防止のための行動を必要とせず、緊急情報を認識次第、即座に逃避行動を取ることができる。
【００８８】
また、本実施形態では、フェムト基地局１００は、制御確認メッセージを移動端末２００に送信し、利用者２００ａの許可を得た上でガスコンロ４０などの外部機器を制御することもできる。このため、災害の発生時において制御が必要な外部機器のみを、利用者２００ａによる移動端末２００を用いた簡単な操作で確実に制御できる。
【００８９】
本実施形態では、利用者２００ａが緊急情報を受理したか否かを確認する受信確認メッセージがフェムト基地局１００から移動端末２００に送信される。フェムト基地局１００は、利用者２００ａが緊急情報を受理したことを示す応答を管理サーバ３０に中継し、管理サーバ３０は、移動端末２００の識別番号（電話番号）を登録する。
【００９０】
このため、災害発生時にフェムト基地局１００が形成する通信エリアに在圏している利用者であって、緊急情報を受理した利用者の情報を管理できる。このような情報は、住宅Ｒが倒壊した場合などの救出支援や、被災者を心配する関係者（家族など）による安否確認に活用できる。
【００９１】
（７）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９２】
例えば、上述した本発明の実施形態では、移動体通信システム１は、CBSに基づいて、緊急情報をフェムト基地局１００や移動端末２００に同報配信したが、緊急情報を移動端末に同報配信する方式は、CBSに限定されず、MBMSなどであってもよい。また、上述した実施形態では、フェムト基地局１００は、ＲＮＣ２０を介してコアネットワーク２５に接続されていたが、コアネットワーク２５に直接接続されてもよい。この場合、フェムト基地局１００は、コアネットワーク２５を介してSystem Information Update Requestなどのメッセージを取得すればよい。
【００９３】
上述した実施形態では、フェムト基地局１００（出力制御部１０９）は、ディスプレイ１１３を用いて緊急情報を報知したが、フェムト基地局１００は、取得した緊急情報の種類や内容に応じて、緊急情報の報知方法を異ならせてもよい。例えば、緊急地震速報であれば、大きな揺れが住宅Ｒの地域に到達するまでの所要時間や、想定される震度に応じて音響信号を変更してもよい。また、フェムト基地局１００は、スピーカ１１１やディスプレイ１１３を用いず、ホームネットワーク４５に接続されている外部機器（例えば、テレビ、固定電話、パソコン）の画面を経由して緊急情報を表示させてもよい。
【００９４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９５】
１…移動体通信システム、１０…Cell Broadcast Center（CBC）、２０…無線ネットワーク制御装置（ＲＮＣ）、２５…コアネットワーク、３０…管理サーバ、３１…ネットワークインタフェース部、３３…在圏情報登録部、３５…在圏情報データベース、４０…ガスコンロ、４５…ホームネットワーク、５０…ホームサーバ、６０…玄関ドア、１００…フェムト基地局、１０１…ネットワークインタフェース部、１０３…緊急情報取得部、１０５…無線通信部、１０７…メッセージ・応答処理部、１０９…出力制御部、１１１…スピーカ、１１３…ディスプレイ、１１５…応答中継部、１１７…制御命令生成部、１１９…制御命令送信部、２００…移動端末、２００ａ…利用者、２０１…無線通信部、２０３…ベースバンド処理部、２０５…緊急情報送受信部、２０７…緊急情報処理部、２０９…入力キー部、２１１…ディスプレイ、２１３…スピーカ、Ｒ…住宅
【図１】
2010199715.tif 000003
【図２】
2010199715.tif 000004
【図３】
2010199715.tif 000005
【図４】
2010199715.tif 000006
【図５】
2010199715.tif 000007
【図６】
2010199715.tif 000008
【図７】
2010199715.tif 000009
【図８】
2010199715.tif 000010
【図９】
2010199715.tif 000011
【図１０】
2010199715.tif 000012
【図１１】
2010199715.tif 000013